(57)【要約】【課題】電子メール送信相手の電話番号に付加されているＰＢＸ外線アクセス番号を自動的に削除することができる電話機を提供することを目的とする。【解決手段】電話番号を短縮ダイヤルで記憶する短縮ダイヤル記憶部と、ＰＢＸ外線アクセス番号を記憶するＰＢＸ外線アクセス番号記憶部と、制御部１１とを有し、制御部１１は、短縮ダイヤル記憶部に記憶した電子メール宛先の電話番号のうちの外線アクセス番号とＰＢＸ外線アクセス番号記憶部に記憶したＰＢＸ外線アクセス番号とを比較する番号比較手段１１３と、電子メール宛先の電話番号のうちの外線アクセス番号と記憶したＰＢＸ外線アクセス番号とが一致する場合には電子メール宛先の電話番号のうちの外線アクセス番号を削除する番号削除手段１１４とを有する。【選択図】  図３
2008072154.tif 000002
【特許請求の範囲】
【請求項１】
ＰＢＸに接続されて通話と電子メール送受信とを行う電話機であって、
電話番号を短縮ダイヤルで記憶する短縮ダイヤル記憶部と、ＰＢＸから外線に接続するためのＰＢＸ外線アクセス番号を記憶するＰＢＸ外線アクセス番号記憶部と、外線と接続するための回線インタフェース部と、全体を制御する制御部とを有し、
前記制御部は、前記短縮ダイヤル記憶部に記憶した電子メール宛先の電話番号のうちの外線アクセス番号と前記ＰＢＸ外線アクセス番号記憶部に記憶したＰＢＸ外線アクセス番号とを比較する番号比較手段と、前記電子メール宛先の電話番号のうちの外線アクセス番号と前記記憶したＰＢＸ外線アクセス番号とが一致する場合には前記電子メール宛先の電話番号のうちの外線アクセス番号を削除する番号削除手段とを有することを特徴とする電話機。
【請求項２】
前記番号比較手段と前記番号削除手段とは、前記電子メール宛先の電話番号のうちの外線アクセス番号を識別できることを特徴とする請求項１に記載の電話機。
【発明の詳細な説明】
【０００１】
【発明の属する技術分野】
本発明は、ＰＢＸに接続されて通話と電子メール送受信とを行う電話機に関するものである。
【０００２】
【従来の技術】
図５は、ＰＢＸに接続して使用される従来の電話機を示すブロック図である。
【０００３】
図５において、１Ａは電話機、１１Ａは全体を制御する制御部、１２はボタン操作を行うためのボタン操作部、１３は文字や図形を表示する表示部、１４は電話番号を短縮ダイヤルの形で記憶する短縮ダイヤル記憶部、１５はＰＢＸを介して外線と接続するための回線インタフェース部、１６は回線インタフェース部１５に接続された送話部、１７は回線インタフェース部１５に接続された受話部である。
【０００４】
図６は、ＰＢＸに接続して使用される従来の電話機を含む通信システムを示すブロック図である。
【０００５】
図６において、２は自宅、３、４、６は交換機、５は相手宅、７は電子メールサーバ、２１はＰＢＸ、２２は自宅の電話機（図５の電話機１Ａに相当）、５１は相手宅の電話機である。なお、電話機２２は回線インタフェース部１５を介してＰＢＸ２１に接続される。
【０００６】
このように構成された通信システムについて、その動作を説明する。なお、短縮ダイヤル記憶部１４には相手宅５の電話機５１の電話番号が記憶されているものとする。この場合の電話番号は外線アクセス番号を含めて外線アクセス番号が識別できるように記憶され、この外線アクセス番号はここでは“０”である。
【０００７】
通常の電話を掛ける場合（通話を行う場合）には使用者は、ボタン操作部１２から相手宅の電話機５１に対応する短縮ダイヤルを入力する。すると、電話機２２は、短縮ダイヤルに対応する相手宅５の電話番号たとえば「０１２３４４４５５５５」を短縮ダイヤル記憶部１４から読み出し、ＰＢＸ２１に送信する。ＰＢＸ２１は、先頭番号がゼロであることにより、外線アクセスであると判別し、使用者が発呼操作を行うと、ゼロを削除した「１２３４４４５５５５」を相手宅５の電話番号として交換機３へ送信する。すなわち、ＰＢＸ２１は最初の“０”で外線（一般回線網）を捕捉して外線と電話機２２とを接続状態とし、以降の「１２３４４４５５５５」を外線に送出する。これにより、電話機２２は、交換機３、４を介して「１２３４４４５５５５」の電話番号の電話機５１に接続される。
【０００８】
電子メールの送信を行う場合にも同様に使用者は、ボタン操作部１２から電子メールサーバ７の電話番号を入力すると共に、相手宅５の電話番号に対応する短縮ダイヤルを入力する。電子メールサーバ７の電話番号としては例えば「０９９９３３３６６６６」を入力し、次に相手宅５の電話番号に対応する短縮ダイヤルを入力する。すると、電話機２２は、最初に入力した電話番号が「０９９９３３３６６６６」であることから、外線アクセスであると判別し、使用者が発呼操作を行うと、ゼロを削除した「９９９３３３６６６６」を電子メールサーバ７の電話番号として交換機３へ送信する。すなわち、ＰＢＸ２１は最初の“０”で外線（一般回線網）を捕捉して外線と電話機２２とを接続状態とし、以降の「９９９３３３６６６６」を外線に送出する。これにより、電話機２２は、交換機３、６を介して電子メールサーバ７と接続され、電子メールサーバ７には、電子メールの宛先電話番号として相手宅５の電話番号「０１２３４４４５５５５」が通知される。しかし、この場合、相手宅５の電話番号にはゼロが先頭に付加されており、電子メールサーバ７は、認識不能な電話番号として処理し、結果的に相手宅５の電話機５１には電子メールは送信されないことになる。これを防止するため、使用者は、宛先番号の「０１２３４４４５５５５」のゼロを削除して添付し、電子メールサーバ７へ送信する。
【０００９】
なお、上述したような電子メール送受信の従来例としては、ショートメッセージサービス（ＳＭＳ）を利用するものがあり、これは例えば特許文献１に記載されている。
【００１０】
図７は、電話機１Ａ（つまり図６の電話機２２）の操作および動作（制御部１１Ａの動作）を示すフローチャートである。
【００１１】
図７において、まず、ボタン操作部１２を操作して、電子メールサーバ７の電話番号を入力すると共に、相手宅５の電話番号に対応する短縮ダイヤルを入力する（Ｓ１１）。この短縮ダイヤルに対応する相手宅５の電話番号として例えば「０１２３４４４５５５５」が短縮ダイヤル記憶部１４から読み出されるので、使用者は、先頭番号のゼロを削除して電子メールの宛先として電子メールに添付する（Ｓ１２）。次に、本文を作成し（Ｓ１３）、電子メールサーバ７へダイヤルし（Ｓ１４）、電話機１Ａ（２２）と電子メールサーバ７とを接続して、電子メールを電子メールサーバ７へ送信する（Ｓ１５）。電子メールサーバ７は、電子メールを直接に相手宅５の電話機５１へ送信するか、または電子メールがあったことを電話機５１に通知し、電話機５１からの要求に応じて電子メールを送信する。
【００１２】
【特許文献１】
特開２００３−１８６６０号公報
【００１３】
【発明が解決しようとする課題】
このように、ＰＢＸに接続して使用される従来の電話機１Ａでは、電子メールを送信する場合には、電子メール宛先の電話番号のうちのＰＢＸ外線アクセス番号（たとえばゼロ）を使用者自らが削除する必要があり、操作が煩雑になる（送信電子メールが多数の場合にはいっそう煩雑になる）という問題点を有していた。
【００１４】
この電話機では、電子メール送信相手の電話番号に付加されているＰＢＸ外線アクセス番号を自動的に削除することが要求されている。
【００１５】
本発明は、この要求を満たすため、電子メール送信相手の電話番号に付加されているＰＢＸ外線アクセス番号を自動的に削除することができる電話機を提供することを目的とする。
【００１６】
【課題を解決するための手段】
上記課題を解決するために本発明の電話機は、ＰＢＸに接続されて通話と電子メール送受信とを行う電話機であって、電話番号を短縮ダイヤルで記憶する短縮ダイヤル記憶部と、ＰＢＸから外線に接続するためのＰＢＸ外線アクセス番号を記憶するＰＢＸ外線アクセス番号記憶部と、外線と接続するための回線インタフェース部と、全体を制御する制御部とを有し、制御部は、短縮ダイヤル記憶部に記憶した電子メール宛先の電話番号のうちの外線アクセス番号とＰＢＸ外線アクセス番号記憶部に記憶したＰＢＸ外線アクセス番号とを比較する番号比較手段と、電子メール宛先の電話番号のうちの外線アクセス番号と記憶したＰＢＸ外線アクセス番号とが一致する場合には電子メール宛先の電話番号のうちの外線アクセス番号を削除する番号削除手段とを有する構成を備えている。
【００１７】
これにより、電子メール送信相手の電話番号に付加されているＰＢＸ外線アクセス番号を自動的に削除することができる電話機が得られる。
【００１８】
【発明の実施の形態】
本発明の請求項１に記載の電話機は、ＰＢＸに接続されて通話と電子メール送受信とを行う電話機であって、電話番号を短縮ダイヤルで記憶する短縮ダイヤル記憶部と、ＰＢＸから外線に接続するためのＰＢＸ外線アクセス番号を記憶するＰＢＸ外線アクセス番号記憶部と、外線と接続するための回線インタフェース部と、全体を制御する制御部とを有し、制御部は、短縮ダイヤル記憶部に記憶した電子メール宛先の電話番号のうちの外線アクセス番号とＰＢＸ外線アクセス番号記憶部に記憶したＰＢＸ外線アクセス番号とを比較する番号比較手段と、電子メール宛先の電話番号のうちの外線アクセス番号と記憶したＰＢＸ外線アクセス番号とが一致する場合には電子メール宛先の電話番号のうちの外線アクセス番号を削除する番号削除手段とを有することとしたものである。
【００１９】
この構成により、電子メール宛先の電話番号のうちの外線アクセス番号と記憶したＰＢＸ外線アクセス番号とが番号比較手段において比較され、両者の番号が一致する場合には番号削除手段において外線アクセス番号が電子メール宛先の電話番号から自動的に削除されるので、使用者が電子メール宛先の電話番号から外線アクセス番号を取り除く操作を行う必要がなくなり、電子メール送信のための操作が簡略化されるという作用を有する。
【００２０】
請求項２に記載の電話機は、請求項１に記載の電話機において、番号比較手段と番号削除手段とは、電子メール宛先の電話番号のうちの外線アクセス番号を識別できることとしたものである。
【００２１】
この構成におり、種々の外線アクセス番号に対応することができるという作用を有する。
【００２２】
以下、本発明の実施の形態について、図１〜図４を用いて説明する。
【００２３】
（実施の形態１）
図１は、本発明の実施の形態１による電話機を示すブロック図である。
【００２４】
図１において、ボタン操作部１２、表示部１３、短縮ダイヤル記憶部１４、回線インタフェース部１５、送話部１６、受話部１７は図５と同様のものなので、同一符号を付し、説明は省略する。１はＰＢＸに接続されて通話と電子メール送受信とを行う電話機、１１は全体を制御する制御部、１８はＰＢＸから外線に接続するためのＰＢＸ外線アクセス番号を記憶するＰＢＸ外線アクセス番号記憶部である。
【００２５】
図２は、ＰＢＸに接続して使用される電話機を含む通信システムを示すブロック図である。
【００２６】
図２において、２は自宅、３、４、６は交換機、５は相手宅、７は電子メールサーバ、２１はＰＢＸ、２２は自宅の電話機（図１の電話機１に相当）、５１は相手宅５の電話機である。なお、電話機２２は回線インタフェース部１５を介してＰＢＸ２１に接続される。
【００２７】
このように構成された通信システムについて、その動作を説明する。なお、短縮ダイヤル記憶部１４には相手宅５の電話機５１の電話番号が記憶され、ＰＢＸ外線アクセス番号記憶部１８にはＰＢＸ外線アクセス番号（ここでは“０”）が記憶されているものとする。この場合の電話機５１の電話番号は外線アクセス番号を含めて外線アクセス番号が識別できるように記憶され、この外線アクセス番号はここでは“０”である。
【００２８】
通常の電話を掛ける場合（通話を行う場合）には使用者は、ボタン操作部１２から相手宅５の電話機５１に対応する短縮ダイヤルを入力する。すると、電話機２２は、短縮ダイヤルに対応する相手宅５の電話番号たとえば「０１２３４４４５５５５」を短縮ダイヤル記憶部１４から読み出し、ＰＢＸ２１に送信する。ＰＢＸ２１は、先頭番号がゼロであることにより、外線アクセスであると判別し、使用者が発呼操作を行うと、ゼロを削除した「１２３４４４５５５５」を相手宅５の電話番号として交換機３へ送信する。すなわち、ＰＢＸ２１は最初の“０”で外線（一般回線網）を捕捉して外線と電話機２２とを接続状態とし、以降の「１２３４４４５５５５」を外線に送出する。これにより、電話機２２は、交換機３、４を介して「１２３４４４５５５５」の電話番号の電話機５１に接続される。
【００２９】
電子メールの送信を行う場合にも同様に使用者は、ボタン操作部１２から電子メールサーバ７の電話番号を入力すると共に、相手宅５の電話番号に対応する短縮ダイヤルを入力する。電子メールサーバ７の電話番号としては例えば「０９９９３３３６６６６」を入力し、次に相手宅５の電話番号に対応する短縮ダイヤルを入力する。すると、電話機２２は、最初に入力した電話番号が「０９９９３３３６６６６」であることから、外線アクセスであると判別し、使用者が発呼操作を行うと、ゼロを削除した「９９９３３３６６６６」を電子メールサーバ７の電話番号として交換機３へ送信する。すなわち、ＰＢＸ２１は最初の“０”で外線（一般回線網）を捕捉して外線と電話機２２とを接続状態とし、以降の「９９９３３３６６６６」を外線に送出する。これにより、電話機２２は、交換機３、６を介して電子メールサーバ７と接続され、電子メールサーバ７には、電子メールの宛先電話番号として相手宅５の電話番号が通知される。このとき、制御部１１において、相手宅５の電話番号「０１２３４４４５５５５」のうちのＰＢＸ外線アクセス番号（ここでは先頭番号“０”）とＰＢＸ外線アクセス番号記憶部１８に記憶されているＰＢＸ外線アクセス番号とが比較され、記憶されているＰＢＸ外線アクセス番号が“０”であることにより、制御部１１は、両者は一致したと判定し、先頭番号“０”が削除された電話番号「１２３４４４５５５５」を電子メールに添付する。
【００３０】
図３は、制御部１１における機能実現手段を示すブロック図である。各機能実現手段は、メモリ（図示せず）に格納しているソフトウェアを制御部１１により実行することにより実現されるものである。
【００３１】
図３において、１１１はボタン操作部１２から入力された短縮ダイヤルにより電子メールの宛先を指定する宛先指定手段、１１２は電子メールを作成するメール作成手段、１１３は短縮ダイヤル記憶部１４に記憶した電子メール宛先の電話番号のうちの外線アクセス番号とＰＢＸ外線アクセス番号記憶部１８に記憶したＰＢＸ外線アクセス番号とを比較する番号比較手段、１１４は電子メール宛先の電話番号のうちの外線アクセス番号と記憶したＰＢＸ外線アクセス番号とが一致する場合には電子メール宛先の電話番号のうちの外線アクセス番号を削除する番号削除手段、１１５は電子メールを送信するメール送信手段である。
【００３２】
図４は、電話機１（つまり図２の電話機２２）の動作（制御部１１の動作）を示すフローチャートである。
【００３３】
図４において、まず、ボタン操作部１２を操作して、電子メールサーバ７の電話番号を入力し、相手宅５の電話番号に対応する短縮ダイヤルを入力すると（Ｓ１）、宛先指定手段１１１は、この短縮ダイヤルに対応する相手宅５の電話番号として例えば「０１２３４４４５５５５」を短縮ダイヤル記憶部１４から読み出す。次に、使用者は、メール作成手段１１２を介して、電子メールの本文を作成する（Ｓ２）。次に、番号比較手段１１３は、短縮ダイヤル記憶部１４に記憶した電子メール宛先の電話番号のうちの外線アクセス番号（ここでは先頭番号“０”）とＰＢＸ外線アクセス番号記憶部１８に記憶したＰＢＸ外線アクセス番号“０”とを比較し（Ｓ３）、電子メール宛先の電話番号のうちの外線アクセス番号と記憶したＰＢＸ外線アクセス番号とが一致するか否かを判定する（Ｓ４）。両者の外線アクセス番号が一致すると番号比較手段１１３が判定した場合、番号削除手段１１４は、電子メール宛先の電話番号のうちの外線アクセス番号を削除する（Ｓ５）。これにより、「０１２３４４４５５５５」から“０”が削除された相手宅５の電話番号「１２３４４４５５５５」が電子メールの宛先として自動的に電子メールに添付される。次に、メール送信手段１１５は、電子メールサーバ７へダイヤルし（Ｓ６）、電話機１（図２の電話機２２）と電子メールサーバ７とを接続して、電子メールを電子メールサーバ７へ送信する（Ｓ７）。電子メールサーバ７は、電子メールを直接に相手宅５の電話機５１へ送信するか、または電子メールがあったことを相手宅５の電話機５１に通知し、電話機５１からの要求に応じて電子メールを送信する。ステップＳ４で一致しないと判定した場合はステップＳ６へ移行する。
【００３４】
以上のように本実施の形態によれば、短縮ダイヤル記憶部１４に記憶した電子メール宛先の電話番号のうちの外線アクセス番号とＰＢＸ外線アクセス番号記憶部１８に記憶したＰＢＸ外線アクセス番号とを比較する番号比較手段１１３と、電子メール宛先の電話番号のうちの外線アクセス番号と記憶したＰＢＸ外線アクセス番号とが一致する場合には電子メール宛先の電話番号のうちの外線アクセス番号を削除する番号削除手段１１４とを有することにより、電子メール宛先の電話番号のうちの外線アクセス番号と記憶したＰＢＸ外線アクセス番号とが番号比較手段１１３において比較され、両者の番号が一致する場合には番号削除手段１１４において外線アクセス番号が電子メール宛先の電話番号から自動的に削除されるので、使用者が電子メール宛先の電話番号から外線アクセス番号を取り除く操作を行う必要がなくなり、電子メール送信のための操作が簡略化される。
【００３５】
また、電子メール宛先の電話番号は外線アクセス番号を含めて外線アクセス番号が識別できるように記憶されるので、番号比較手段１１３と番号削除手段１１４とは、電子メール宛先の電話番号のうちの外線アクセス番号を識別できることにより、種々の外線アクセス番号に対応することができる。
【００３６】
【発明の効果】
以上説明したように本発明の請求項１に記載の電話機によれば、ＰＢＸに接続されて通話と電子メール送受信とを行う電話機であって、電話番号を短縮ダイヤルで記憶する短縮ダイヤル記憶部と、ＰＢＸから外線に接続するためのＰＢＸ外線アクセス番号を記憶するＰＢＸ外線アクセス番号記憶部と、外線と接続するための回線インタフェース部と、全体を制御する制御部とを有し、制御部は、短縮ダイヤル記憶部に記憶した電子メール宛先の電話番号のうちの外線アクセス番号とＰＢＸ外線アクセス番号記憶部に記憶したＰＢＸ外線アクセス番号とを比較する番号比較手段と、電子メール宛先の電話番号のうちの外線アクセス番号と記憶したＰＢＸ外線アクセス番号とが一致する場合には電子メール宛先の電話番号のうちの外線アクセス番号を削除する番号削除手段とを有することにより、電子メール宛先の電話番号のうちの外線アクセス番号と記憶したＰＢＸ外線アクセス番号とが番号比較手段において比較され、両者の番号が一致する場合には番号削除手段において外線アクセス番号が電子メール宛先の電話番号から自動的に削除されるので、使用者が電子メール宛先の電話番号から外線アクセス番号を取り除く操作を行う必要がなくなり、電子メール送信のための操作が簡略化されるという有利な効果が得られる。
【００３７】
請求項２に記載の電話機は、請求項１に記載の電話機において、番号比較手段と番号削除手段とは、電子メール宛先の電話番号のうちの外線アクセス番号を識別できることにより、種々の外線アクセス番号に対応することができるという有利な効果が得られる。
【図面の簡単な説明】
【図１】本発明の実施の形態１による電話機を示すブロック図
【図２】ＰＢＸに接続して使用される電話機を含む通信システムを示すブロック図
【図３】制御部における機能実現手段を示すブロック図
【図４】電話機の動作を示すフローチャート
【図５】ＰＢＸに接続して使用される従来の電話機を示すブロック図
【図６】ＰＢＸに接続して使用される従来の電話機を含む通信システムを示すブロック図
【図７】電話機の操作および動作を示すフローチャート
【符号の説明】
１、２２、５１  電話機
２  自宅
３、４、６  交換機
５  相手宅
７  電子メールサーバ
１１  制御部
１２  ボタン操作部
１３  表示部
１４  短縮ダイヤル記憶部
１５  回線インタフェース部
１６  送話部
１７  受話部
１８  ＰＢＸ外線アクセス番号記憶部
【図１】
2008072154.tif 000003
【図２】
2008072154.tif 000004
【図３】
2008072154.tif 000005
【図４】
2008072154.tif 000006
【図５】
2008072154.tif 000007
【図６】
2008072154.tif 000008
【図７】
2008072154.tif 000009